(57)【要約】【課題】簡潔な構造で、運搬時に収納した瓶を確実に保護できるとともに、収納箱の取り扱いも容易な瓶体の運搬用収納箱を提供する。【課題の解決手段】瓶体運搬用の収納箱１は、四側面２ｂ，２ｃ，２ｄと、一対の側面２ｄ，２ｂの各上端をそれぞれ延出してなる開閉自在な上蓋４及び同じく開閉自在で瓶体１０を上から押える係合部５３を設けた瓶体押え蓋５と、瓶体１０の底部１２を支持する支持片６３を設けた瓶体載置台６と、一対の側面２ｃの上端部に設けた一対の折り返し片２２ｂの各折り部から各折り返し片２２ｂ及び折り返し片２２ｂと対応する各側面２ｃに及ぶよう形成した各一対のスリット２４ｃ、２４ｄに、一対の把持部７２を側面２ｃの外部に露出するよう係止した瓶体収納袋７を備えてなる。【選択図】図２
0003160829.tif 000002
【実用新案登録請求の範囲】
【請求項１】
四側面と、四側面の対向する一対の側面の各上端を延出してなるそれぞれ開閉自在な上蓋及び瓶体を上から押える瓶体押え蓋と、底部内側に設けた瓶体載置台と、前記各蓋を延出した一対の側面とは異なる一対の側面の上端部に、一対の把持部を外部に露出するようそれぞれ係止した瓶体収納袋を備えてなる瓶体の運搬用収納箱。
【請求項２】
請求項１の構成において、前記瓶体押え蓋には瓶体の蓋に係合する係合部を設け、前記瓶体載置台には瓶体の底部を支持する支持部を設け、前記瓶体収納袋の一対の把持部は、前記係止した一対の側面の各上端を延出してなる一対の折り返し片の各折り部から前記各折り返し片及び折り返し片と対応する側面に及ぶようそれぞれ形成した各一対のスリットに係止されることを特徴とする瓶体の運搬用収納箱。
【考案の詳細な説明】
【技術分野】
【０００１】
本考案は、日本酒、ワインをはじめとする各種飲料用のガラス、陶器等からなる瓶体を、運搬する際に使用する収納箱に関するものである。
【背景技術】
【０００２】
従来、この種の収納箱は開閉自在な上蓋を有する直方体状の形状が一般的であるが、運搬中に収納した瓶体が衝撃を受けて破損するのを防止するために、収納箱と直接接触しないように緩衝部材を介して瓶体を保持するのが一般的である。例えば、瓶体の対応する部分の径に適合する大きさの孔をそれぞれ形成した三枚の段ボール製の緩衝部材で、瓶体の上部、中間部、下部の３箇所を保持する構成（特許文献１）、瓶体の側面に対応する縦長の孔を形成した段ボール製の一対の緩衝部材で、瓶体の両側部を保持するとともに、上下の移動を規制する緩衝部材を配置した構成（特許文献２）、段ボール製の１枚の支持板に、瓶体の上部を挿通する楕円状の小孔と、瓶体の下部を挿通する楕円状の大孔とを設けるとともに、折目を設け、この支持板の上下両端部を直角三角形状に折り曲げて、瓶体の上下を各孔に挿通保持した状態で収納箱内に配置する構成（特許文献３）が知られている。
【先行技術文献】
【特許文献】
【０００３】
【特許文献１】特開２０００−４３９６６号公報
【特許文献２】特開２００３−３１２７４１号公報
【特許文献１】実用新案登録第３１２３２６１号公報
【考案の概要】
【考案が解決しようとする課題】
【０００４】
しかしながら、これらの従来例では、緩衝部材に大小異なる大きさの円孔や楕円孔を形成する必要があり、また、緩衝部材に形成する縦長孔は緩衝部材の大部分を占めるので、この孔の形成により緩衝部材の強度が劣るのを補強する補強板が別途必要になるなど、緩衝部材及びこれに関連する構造が複雑であるとともに、瓶体を緩衝部材の孔に挿通して収納箱内に収納する手間が煩雑であるという問題がある。さらに、収納箱は直方体状で、取っ手などの手を掛ける部分がないので、人手による持ち運びなど運搬中の取り扱いが容易でないという問題もある。
【０００５】
本考案は、これらの問題を解消し、簡潔な構造で、運搬時に収納した瓶を確実に保護して破損を防止するとともに、収納箱の取り扱いも容易な瓶体の運搬用収納箱を提供することを目的とする。
【課題を解決するための手段】
【０００６】
この目的を達成するために、本考案の請求項１に係る瓶体の運搬用収納箱は、四側面と、四側面の対向する一対の側面の各上端を延出してなるそれぞれ開閉自在な上蓋及び瓶体押え蓋と、底部内側に設けた瓶体載置台と、前記各蓋を延出した一対の側面とは異なる一対の側面の上端部に、一対の把持部を各側面の外部に露出するようそれぞれ係止した瓶体収納袋を備えてなるものである。
【０００７】
この構成によれば、瓶体を瓶体収納袋に収納し、瓶体押え蓋と瓶体載置台によって瓶体の上下方向の動きを規制することで、運搬中の瓶体を収納箱内で安定状態に維持することができる。また、収納箱の外部に露出した瓶体収納袋の一対の把持部を把持して収納箱を運搬できる。
【０００８】
また、上述の目的を達成するために、本考案の請求項２に係る瓶体の運搬用収納箱は、請求項１の構成において、前記瓶体押え蓋には瓶体の蓋に係合する係合部を設け、前記瓶体載置台には瓶体の底部を支持する支持部を設け、前記瓶体収納袋の一対の把持部は、前記一対の側面の各上端をそれぞれ延出してなる各折り返し片の折り部から前記各折り返し片と対応する各側面に及ぶよう形成した各一対のスリットにそれぞれ係止されているものである。
【０００９】
この構成によれば、瓶体押え蓋の係合部と瓶体載置台の支持部による瓶体の上下方向の動きの規制はより確実になり、運搬中の瓶体を収納箱内でより安定した状態に維持することができる。また、収納箱の外部に露出した瓶体収納袋の一対の把持部を把持して収納箱を運搬できる。
【考案の効果】
【００１０】
このように、本考案によれば、瓶体は収納箱内に配置した瓶体収納袋内に収納して、瓶体押え蓋と瓶体載置台で上下方向の移動を規制するので、瓶体の収納動作が簡単であるとともに、収納後は安定状態で瓶体を運搬することができて、運搬中の瓶体の破損を確実に防止できるほか、瓶体収納袋の一対の把持部が収納箱の外部に露出しているので、各把持部を把持して収納箱を持ち運べるなど取り扱いも容易であるという効果を奏する。
【図面の簡単な説明】
【００１１】
【図１】全体の外観を示す斜視図。
【図２】瓶体収納状態を示す縦断面図。
【図３】上蓋を開いて瓶体収納状態の瓶体押え蓋を示す部分拡大斜視図。
【図４】上蓋及び瓶体押え蓋を開いて瓶体収納状態を示す部分拡大斜視図。
【図５】各折り返し片の非折り返し状態を示す部分拡大斜視図。
【図６】瓶体収納袋を示す斜視図。
【考案を実施するための形態】
【００１２】
以下、本考案の好適な実施形態を添付図面の図１〜図５に基づいて説明する。
【００１３】
図１、図２に示すように、全体形状が直方体状の瓶体運搬用の収納箱１は、段ボールなどの板紙製で、四側面２ａ，２ｂ，２ｃ，２ｄと、閉塞された底面３と、側面２ｄの上端を折り部４３を介して一体的に延出してなる開閉自在な上蓋４と、側面２ｂの上端を折り部５７を介して一体的に延出してなる開閉自在な瓶体押え蓋５と、前記底面３に設置した瓶体載置台６と、一対の対向する側面２ａ，２ｃの上端部に把持部７１，７２を各側面２ａ，２ｃの外部に露出するよう係止した合成樹脂製の瓶体収納袋７を備えている。
【００１４】
図２に示すように、瓶体載置台６の上面中央部には円孔６１を設け、この円孔６１の周囲に多数の切り込み６２を径方向に設けることにより、多数の支持片６３を放射状に配置している。そして、これら多数の支持片６３によって、瓶体収納袋７に収納した瓶体１０の底部１２を支持する支持部を構成する。前記多数の支持片６３の基端部で形成する円周の径は、収納する瓶体１０の底面の径より若干大きく設定されている。したがって、前記瓶体１０は、前記多数の支持片６３によって弾性的に支持されるものである。
【００１５】
図３及び図４に示すように、上蓋４には、折り部４３と反対側端に嵌入片４１と、嵌合孔４２を設けている。一方、瓶体押え蓋５には、折り部５７に沿って前記嵌入片４１が嵌入する嵌合孔５１を設け、中央部に一対の平行に延びるスリット５２ａ，５２ｂによって係合部５３を形成している。また、前記瓶体押え蓋５には、両側部に三角形状に折り返すための一対のへの字状の折り用スリット線５４ａ，５４ｂ及び中折りスリット５５ａ，５５ｂと、前記係合部５３を瓶体１０の蓋１１に対応位置させて押えるべく前記瓶体押え蓋５が容易に折り曲がるように一対の折り用スリット線５６ａ，５６ｂを設けている。さらに、側面２ｂの上端部には、前記嵌合孔４２に嵌入する嵌入片２１を設けている。
【００１６】
図５に示すように、一対の側面２ａ，２ｃの各上端を延出してなる一対の折り返し片２２ａ，２２ｂの各折り部２３ａ，２３ｂから、前記各折り返し片２２ａ，２２ｂとこれら折り返し片２２ａ，２２ｂが延出された各側面２ａ，２ｃに及ぶように、各一対のスリット２４ａ，２４ｂ及び２４ｃ，２４ｄを形成している。そして、各折り返し片２２ａ，２２ｂが各折り部２３ａ，２３ｂで内側に折り返された状態で、これらスリット２４ａ，２４ｂ，２４ｃ，２４ｄに、瓶体収納袋７の一対の把持部７１，７２（図６参照）の基端部が挿入され、各把持部７１，７２が収納箱１の外側に位置して係止されている（図１〜図４参照）。なお、これらスリット２４ａ，２４ｂ，２４ｃ，２４ｄの各両端には円孔状の止め部を形成して、ここに前記把持部７１，７２を係止しているものである。
【００１７】
ここで、以上のように構成した本実施形態の使用方法について説明する。まず、上蓋４と瓶体押え蓋５を開いた状態で、瓶体１０を瓶体収納袋７内に挿入する（図４参照）とともに、その底部１２が各支持片６３に弾性的に支持されるよう瓶体載置台６に載置する（図２参照）。このとき、瓶体１０の底部１２は、各支持片６３上で若干下方に沈んであたかも凹部に嵌合保持された状態となり、瓶体１０下部の水平方向の移動が規制される。
【００１８】
次いで、瓶体押え蓋５を閉じるように折り部５７で折り返し、折り用スリット線５４ａ，５４ｂ及び中折りスリット５５ａ，５５ｂで両側部の中央部を三角形状に内側に折った状態で側面２ａ，２ｃに沿うよう押し込み、さらに、各折り用スリット線５６ａ，５６ｂで折り曲げて係合部５３が瓶体１０の蓋１１を上方から押えるように対応させる。このとき、瓶体押え蓋５の各スリット５２ａ，５２ｂ端及び係合部５３の立ち上がり基部（各折り用スリット線５６ａ，５６ｂ対応部）が、前記蓋１１の周囲に位置して、瓶体１０上部の水平方向の移動が規制される。そして、瓶体押え蓋５の折り部５７と反対側端が、上蓋４の折り部４３近傍に位置する状態とする（図３参照）。
【００１９】
続いて、上蓋４を閉じるように折り部４３で折り返し、その嵌入片４１を瓶体押え蓋５の嵌合孔５２に嵌入する一方、嵌入片２１を上蓋４の嵌合孔４２に嵌入して、上面を閉塞する（図１、図２参照）。この状態で、瓶体１０は、係合部５３と多数の支持片６３によって上下から挟持された状態となって、上下方向及び水平方向の移動が規制された状態となる。また、瓶体１０は、瓶体収納袋７に収納されているので、この瓶体収納袋７によっても保護された状態にあり、万一水平方向に移動しても、直接各側面２ａ，２ｂ，２ｃ，２ｄに当接することはない。このようにして、収納箱１内に収納された瓶体１０が、運搬中に破損する虞はない。さらに、収納箱１の外部に一対の把持部７１，７２が露出しているので、これら把持部７１，７２を把持して収納箱１を持ち運ぶことができる。
【００２０】
なお、本考案は上記実施形態になんら限定されるものではなく、例えば、折り用スリット線５４ａ，５４ｂ及び中折りスリット５５ａ，５５ｂを設けると、瓶体押え蓋５の両側部の中央部を三角形状に内側に折った状態で、側面に２ａ，２ｃに沿うよう収納箱１内へ押し込めるので、この押し込み動作が容易となるが、これら折り用スリット線５４ａ，５４ｂ及び中折りスリット５５ａ，５５ｂを設けなくとも、前記押し込み動作が困難になるものではない。また、瓶体載置台６の支持部は、円孔６１の周囲に多数の切り込み６２を径方向に設けてなる多数の放射状に配置した支持片６３に限らず、円の直径に対応するスリットを複数、好ましくは４本以上設けて構成してもよく、さらには、瓶体載置台６の載置面で構成してもよい。
【符号の説明】
【００２１】
１      収納箱
２ａ，２ｂ，２ｃ，２ｄ      側面
３      底面
４      上蓋
５      瓶体押え蓋
６      瓶体載置台
７      瓶体収納袋
２２ａ，２２ｂ      折り片
２４ａ，２４ｂ，２４ｃ，２４ｄ      スリット
５３      係合部
６３      支持片
７１，７２      把持部
【図１】
0003160829.tif 000003
【図２】
0003160829.tif 000004
【図３】
0003160829.tif 000005
【図４】
0003160829.tif 000006
【図５】
0003160829.tif 000007
【図６】
0003160829.tif 000008